(57)【特許請求の範囲】
【請求項１】
ウェハカセットの出入口を移動できる移動体に搭載され、ウェハが光ビームを遮り、この光ビームの遮断を受光側で検出することによって前記ウェハの有無を検出するウェハ検出用センサであって、
前記光ビームを出射して投光ビームを形成する投光部と、検出領域からの光である受光ビームを受光する受光部とを備えたセンサ部と、
前記投光ビームを入射光として反射して前記受光ビームを形成すると共に、前記投光ビームの進行方向である光軸と前記受光ビームの進行方向である光軸との位置を変えるリフレクタとを備え、
前記ウェハの有無を検出する前記光ビームに前記投光ビームを使用し、ウェハ円周の接線近傍に投光ビームが形成されるようにし、投光ビームがウェハの端面に当たって受光部が受光する受光ビームの量が減ることによってウェハの有無を検出することを特徴とするウェハ検出用センサ。
【発明の詳細な説明】
【０００１】
【発明の属する技術分野】
本発明は、ウェハ検出用センサに関するものである。
【０００２】
【従来の技術】
ウェハカセット内のウェハの有無を検出する場合、ウェハ搬送用アーム上にセンサを取り付けて検出を行う場合が多い。
【０００３】
そして、検出手段としてのウェハ検出用センサは、狭視界タイプ（投光ビームのビーム径が小さいもの）の透過形センサが多く用いられる。この狭視界タイプを使用するのは、ウェハカセット内において、被検出体としてのウェハの上下に位置する他のウェハの反射光の影響を受けず、被検出体としてのウェハを検出するためである。
【０００４】
すなわち、図１１に示すように、透過形センサ４０は投光部４１と受光部４２とで構成してあり、投光部４１は保持体としてのアーム４３に保持されており、受光部４２は保持体としてのアーム４４に保持されていて、所定の間隔をおいて相対峙している。そして、投光部４１より投光された投光ビームＦが受光部４２で受光されるようになっている。
【０００５】
また、複数枚のウェハ４５は、ウェハカセット（図示せず）内に上下方向に所定の間隔をおいて出入れ可能に収納してあり、透過形センサ４０はウェハカセットの出入口で上下方向に移動できる移動体（図示せず）に搭載されている。
【０００６】
したがって、移動体が下方向に移動することで、透過形センサ４０はウェハカセットの出入口で下方向に移動する。
【０００７】
この透過形センサ４０の下方向への移動により、ウェハ４５の端面４５Ａが横から投光ビームＦを遮り受光部４２で受光できず、このために、アンプ部（図示せず）において、検出体（ウェハ４５）があると判定される。
【０００８】
【発明が解決しようとする課題】
しかしながら、上記した従来のウェハ検出用センサでは狭視界タイプの透過形センサを用いるために、その投光ビームＦのビーム径が小さくなって、光軸調整が必要であり、投、受光部４１、４２のそれぞれ２ケ所に光軸調整機構を設けなければならないという問題点があった。
【０００９】
一方、ウェハ検出用センサに回帰形ではなく、単に、投光部からウェハ４５に光を当てて、このウェハ４５からの反射光を受光するタイプの反射形センサを使用すれば、光軸調整機構は少なくできるが、ウェハ４５の表面の状態により反射率が小さいものや、特定波長を吸収するウェハ４５もあることから安定したウェハ４５の検出ができないという問題点があった。
【００１０】
本発明は、上記の問題点に着目して成されたものであって、その目的とするところは、ウェハを確実に検出でき、且つ投受光側両方の光軸調整機構が不用になり、調整時間を少なくすることが可能な回帰形のウェハ検出用センサを提供することである。
【００１１】
【課題を解決するための手段】
上記の目的を達成するために、本発明に係るウェハ検出用センサは、ウェハカセットの出入口を移動できる移動体に搭載され、ウェハが光ビームを遮り、この光ビームの遮断を受光側で検出することによってウェハの有無を検出するウェハ検出用センサであって、光ビームを出射して投光ビームを形成する投光部と、検出領域からの光である受光ビームを受光する受光部とを備えたセンサ部と、投光ビームを入射光として反射して受光ビームを形成すると共に、投光ビームの進行方向である光軸と受光ビームの進行方向である光軸との位置を変えるリフレクタとを備え、ウェハの有無を検出する光ビームに投光ビームを使用し、ウェハ円周の接線近傍に投光ビームが形成されるようにし、投光ビームがウェハの端面に当たって受光部が受光する受光ビームの量が減ることによってウェハの有無を検出するようにしたものである。
【００１２】
そして、センサ部がアンプ内蔵タイプであってもよいし、センサ部が、アンプ部に光ファイバーにより接続された光ファイバータイプであって、アンプ部の投光素子が発した光を投光側光ファイバーで伝送してセンサ部において投光ビームとしてリフレクタ側に出射するようにしてもよい。そして、投光ビームの光軸と受光ビームの光軸を変えるリフレクタが直角プリズムであることが好ましい。なお、リフレクタが２つのミラーを直角に配置した構成であってもよいし、また、リフレクタは光軸を変える１枚物のミラーでもよい。
【００１３】
センサ部とは、投光部より投光ビームを出して、この投光ビームの反射光（受光ビーム）を受光部で受光する回帰反射形のセンサ部である。また、直角プリズムとは、入射光が（直角プリズムの斜面部）から入射し、反射率の高い面、例えば鏡面である（直角プリズムの直角部を形成する一方の面部）、及び反射率の高い面、例えば鏡面である（直角プリズムの直角部を形成する他方の面部）で合計２回反射して、この反射光を入射光に平行に出射するものである。また、アンプ内蔵タイプとは、センサ部がアンプ部を内蔵している場合であり、光ファイバータイプとは、センサ部がアンプ部に光ファイバーにより接続された場合である。
【００１４】
また、アンプ部は、投光素子の投光回路と、受光素子から供給される受光信号を増幅する増幅回路と、投光回路にパルスを発生させるパルス発生部と増幅回路で増幅された受光信号を比較判定する比較判定部とを有する演算回路と、演算回路の比較判定部で検出体があると判定された場合に、検出信号を、例えば、外部出力機器に出力する出力部と、表示部と、電源入力部とを有するものであることが好ましい。
【００１５】
かかる構成により、投光ビームは投光部に近いために、まだ回析広がりが小さいのでさほど広がっていなくビーム径が小さい。それに対し、受光ビームは投光部より離れているので、回析広がりが大きく光ビームが広がっていてビーム径が大きい。光ビームが広がっている受光ビームでウェハの検出を行うと、被検出体であるウェハの上下に位置する他のウェハからの反射があり、ウェハの検出に悪影響がある。そこで、ウェハの検出はビーム径が小さい投光ビームで行うことが得策である。
【００１６】
このように、回析広がりが小さい投光ビームをウェハの検出に使用することで、リフレクタ反射後の受光ビームの広がりによる被検出体であるウェハの上下に位置する他のウェハの影響を小さくできて、ウェハの検出が安定したものになり、ウェハカセット内のウェハの有無を検出することができる。
【００１７】
また、ウェハの端部が投光ビームを遮った場合、投光ビームがウェハの端部の表面に反射されるが、ウェハの端面は必ずしも平面ではなく、すなわち、ウェハ厚み方向にウェハの端面はストレート形状とは限らず曲率をもっており、また、端面にも成膜時の膜材質が回り込んでいるため、必ずしも反射率が高くない。したがって、投光ビームがウェハの端面にあたっても、受光側に戻る光の量ははるかに少なく誤動作しにくいものになる。
【００１８】
しかも、リフレクタとして直角プリズムを使用した場合、直角プリズムは寸法精度が高いために、基本的にセンサ部のみの調整でよいことになり、従来の狭視界タイプ透過形のウェハ検出用センサで必要であった投、受光側両方の光軸調整不用になり、調整時間を少なくすることができる。
【００１９】
また、本発明に係るウェハ検出用センサは、上記した本発明に係るウェハ検出用センサにおいて、センサ部とリフレクタとを所定の間隔をおいて相対峙させて構成するようにした。
【００２０】
かかる構成により、配線は片方、すなわち、センサ部しか必要ないため、ウェハ検出用センサの取付けが容易になり、配線工数も削減できる。
【００２１】
また、本発明に係るウェハ検出用センサは、上記した本発明に係るウェハ検出用センサにおいて、投受光側が、センサ部からの投光ビームをリフレクタ側に向かうように屈折させ且つリフレクタから反射された受光ビームをセンサ部の受光部に入射させるセンサ側プリズムを有する。そして、リフレクタが直角プリズムであることが好ましい。
【００２２】
かかる構成により、プリズムの形状、配置によっては、２ヶ以上のプリズムを使用することによるウェハ検出が可能であり、センサ部をある程度距離を離した場所からの検出も可能である。しかも、センサ側保持体が、その先側にセンサ側プリズム（直角プリズム）のみを配置するようになることから、このセンサ側保持体の厚さを薄くすることができて、例えば、ウェハ検出用センサをロボットに搭載する場合などに有利になる。
【００２３】
【発明の実施の形態】
以下、本発明の実施の形態を図面に基づいて説明する。
【００２４】
（実施の形態１）
本発明に係るウェハ検出用センサの実施の形態１を図１乃至図４に示す。
【００２５】
本発明に係るウェハ検出用センサ３０は、投、受光ともに狭視界（投光ビームの光束が小さいもの）の光学系を備えた回帰反射形のセンサ部１と、リフレクタとして用いられる寸法精度の高い直角プリズム２とで構成してある。このセンサ部１は光ビームを出射して投光ビームを形成する投光部と、検出領域からの光である受光ビームを受光する受光部とを有する。
【００２６】
すなわち、センサ部１はアンプ内蔵タイプであり、センサ側保持体１３Ａに保持されている。このセンサ部１のセンサ本体１Ａの一側には投光部である投光口部３と受光部である受光口部４とが、センサ本体１Ａの軸線方向に所定の距離だけ離して設けてある。そして、投光口部３には投光素子１４が、受光口部４には受光素子１６がそれぞれ配置してある。
【００２７】
そして、アンプ部２５においては、図２に示すように、投光素子１４の投光回路１５と、受光素子１６から供給される受光信号を増幅する増幅回路１７と、投光回路１５にパルスを発生させるパルス発生部（図示せず）と増幅回路１７で増幅された受光信号を比較判定する比較判定部（図示せず）とを有する演算回路１８と、演算回路１８の比較判定部で検出体があると判定された場合に、検出信号を、例えば、外部出力機器（図示せず）に出力する出力部１９と、表示部２０と、電源入力部２１とを有する。
【００２８】
また、リフレクタとして用いられる直角プリズム２はリフレクタ側保持体１３Ｂに保持されている。この直角プリズム２では、図３に示すように入射光ａはＢ面（直角プリズム２の斜面部）から入射し、反射率の高い、例えば鏡面であるＡ面（直角プリズム２の直角部を形成する一方の面部）、及び反射率の高い、例えば鏡面であるＣ面（直角プリズム２の直角部を形成する他方の面部）で合計２回反射して、この反射光ｂを入射光ａに平行に出射するものである。
【００２９】
そして、センサ部１と直角プリズム２とは所定の間隔をおいて相対峙していて、投光口部３よりウェハ２２の円周の接線近傍に投光された投光ビームＦが、直角プリズム２では入射光ａとしてＢ面から入射しＡ面及びＣ面で合計２回反射して、この反射光ｂが入射光ａに平行に出射し、受光ビームＦ−１となって受光口部４に入るように配置してある。
【００３０】
そして、ウェハ検出用センサ３０とウェハ２２とは図１及び図４のように配置される。すなわち、複数枚のウェハ２２はウェハカセット２３内に上下方向に所定の間隔をおいて出入れ可能に収納してある。
【００３１】
また、ウェハ検出用センサ３０は、ウェハカセット２３の出入口２４で上下方向に移動できる移動体（図示せず）に搭載されている。
【００３２】
この場合、ウェハ検出用センサ３０は狭視界タイプであって、その投光ビームＦのビーム径は小さく（回析広がりが小さく）、また、受光ビームＦ−１は投光ビームＦに比べてそのビーム径に広がりがあるために、ウェハ２２の検出には投光ビームＦを使用している。
【００３３】
投光ビームＦは投光部に近いために、まだ回析広がりが小さいのでさほど広がっていなくビーム径が小さい。それに対し、受光ビームＦ−１は投光部より離れているので、回析広がりが大きく光ビームが広がっていてビーム径が大きい。光ビームが広がっている受光ビームＦ−１でウェハ２２の検出を行うと、被検出体であるウェハ２２の上下に位置する他のウェハ２２からの反射があり、ウェハ２２の検出に悪影響がある。そこで、ウェハ２２の検出はビーム径が小さい投光ビームＦで行うことが得策である。
【００３４】
次に、上記のように構成されたウェハ検出用センサ３０によるウェハ２２の検出を説明する。
【００３５】
アンプ部２５において電源の投入により、演算回路１８のパルス発生部が投光回路１５を起動してパルスを発生させ、このパルスに基づいて投光素子１４がオン作動して光を発生させる。この光はセンサ部１において投光ビームＦとなり、投光口部３より直角プリズム２側に出射される。
【００３６】
投光口部３より出射された投光ビームＦは、直角プリズム２では入射光ａとしてＢ面から入射しＡ面及びＣ面で合計２回反射して、この反射光ｂが入射光ａに平行に出射し、受光ビームＦ−１となって受光口部４に入る。
【００３７】
この受光ビームＦ−１は受光素子１６により受光される。この受光素子１６は受光を光電変換し受光信号として出力し、この受光信号は増幅回路１７により増幅されて演算回路１８に送られる。
【００３８】
ウェハ検出用センサ３０は、ウェハカセット２３の出入口２４で上下方向に移動できる移動体に搭載されているために、この移動体が下方向に移動することで、ウェハ検出用センサ３０は、図４の矢印に示すように下方向に移動する。
【００３９】
このウェハ検出用センサ３０の下方向への移動により、ウェハ２２の端面２２Ａが横から投光ビームＦを遮る。このために、受光ビームＦ−１が発生せず、演算回路１８の比較判定部において、検出体（ウェハ２２）があると判定され、検出信号が出力部１９に送られ、また、表示部２０において検出体（ウェハ２２）の検出状態が表示される。
【００４０】
上記したように、ウェハ検出用センサ３０とウェハ２２との位置関係を図１のように配置することで、ビーム径の小さい投光ビームＦをウェハ２２の検出に使用するようにしたために、直角プリズム２により反射した後の受光ビームＦ−１の広がりによる被検出体であるウェハ２２の上下に位置する他のウェハ２２の影響を小さくできる。このために、ウェハ２２の検出が安定したものになり、狭視界タイプの検出性能を損なうことなく、ウェハカセット２３内のウェハ２２の有無を検出することができる。
【００４１】
また、ウェハ２２の端面２２Ａが投光ビームＦを遮った場合、投光ビームＦがウェハ２２の端面２２Ａの表面に反射されるが、ウェハ２２の端面２２Ａは必ずしも平面ではなく、すなわち、ウェハ厚み方向にウェハ２２の端面２２Ａはストレート形状とは限らず曲率をもっており、また、端面２２Ａにも成膜時の膜材質が回り込んでいるため、必ずしも反射率が高くない。したがって、投光ビームＦがウェハ２２の端面２２Ａにあたっても、受光側に戻る光の量ははるかに少なく、このことでセンサ部１は誤動作することはない。
【００４２】
また、ウェハ検出用センサ３０は、センサ部１と直角プリズム２とは所定の間隔をおいて相対峙させた構成であるために、配線は片方、すなわち、センサ部１しか必要ないため、ウェハ検出用センサ３０の取付けが容易になり、配線工数も削減できる。しかも、直角プリズム２は寸法精度が高いために、基本的にセンサ部１のみの調整でよいことになり、従来の狭視界の透過形タイプのウェハ検出用センサで必要であった投、受光側両方の光軸調整が不用になるし、光軸調整時間が短くなる。
【００４３】
（実施の形態２）
本発明に係るウェハ検出用センサの実施の形態２を図５乃至図７に示す。
【００４４】
本発明に係るウェハ検出用センサ３０は、投、受光ともに狭視界（投光ビームのビーム径が小さいもの）の光学系を備えた回帰反射形のセンサ部１と、リフレクタとして用いられる寸法精度の高い直角プリズム２とで構成してある。
【００４５】
すなわち、センサ部１は、アンプ部２５−１に光ファイバーにより接続された光ファイバータイプであり、センサ側保持体１３Ａに保持されている。すなわち、図６に示すように、センサ部１のセンサ本体１Ａには、その軸線方向に沿う投光側光ファイバー挿入孔部３Ａ及び受光側光ファイバー挿入孔部４Ａとが平行に形成してある。そして、センサ本体１Ａの一側面には、センサ本体１Ａの軸線方向とは直角方向に沿う投光口部３と受光口部４とが設けてあり、投光口部３は投光側光ファイバー挿入孔部３Ａに直交しており、受光口部４は受光側光ファイバー挿入孔部４Ａに直交している。
【００４６】
また、投光口部３と投光側光ファイバー挿入孔部３Ａとの直交部５には投光側ミラー６が装着してあり、受光口部４と受光側光ファイバー挿入孔部４Ａとの直交部７には受光側ミラー８が装着してある。
【００４７】
そして、投光側光ファイバー挿入孔部３Ａには、先端部に投光レンズ９を有する投光側光ファイバー１０が挿入してあり、受光側光ファイバー挿入孔部４Ａには先端部に受光レンズ１１を有する受光側光ファイバー１２が挿入してある。
【００４８】
投、受光側光ファイバー１０、１２は、図７に示すアンプ部２５−１に接続してある。このアンプ部２５−１は、投光側光ファイバー１０に光を入射する投光素子（発光素子）１４と、この投光素子１４の投光回路１５と、受光側光ファイバー１２から出射された受光を受光し光電変換する受光素子１６と、この受光素子１６から供給される受光信号を増幅する増幅回路１７と、投光回路１５にパルスを発生させるパルス発生部（図示せず）と増幅回路１７で増幅された受光信号を比較判定する比較判定部（図示せず）とを有する演算回路１８と、演算回路１８の比較判定部で検出体があると判定された場合に、検出信号を、例えば、外部出力機器（図示せず）に出力する出力部１９と、表示部２０と、電源入力部２１とを有する。
【００４９】
また、リフレクタとして用いられる直角プリズム２はリフレクタ側保持体１３Ｂに保持されている。この直角プリズム２は、入射光ａはＢ面から入射しＡ面及びＣ面で合計２回反射して、この反射光ｂを入射光ａに平行に出射するものである。
【００５０】
そして、センサ部１と直角プリズム２とは所定の間隔をおいて相対峙していて、投光口部３よりウェハ２２の円周の接線近傍に投光された投光ビームＦが、直角プリズム２では入射光ａとしてＢ面から入射しＡ面及びＣ面で合計２回反射して、この反射光ｂが入射光ａに平行に出射し、受光ビームＦ−１となって受光口部４に入るように配置してある。そして、他の構成は、上記した本発明の実施の形態１の場合と同じであるために、説明を省略する。
【００５１】
次に、上記のように構成されたウェハ検出用センサ３０によるウェハ２２の検出を説明する。
【００５２】
アンプ部２５−１において電源の投入により、演算回路１８のパルス発生部が投光回路１５を起動してパルスを発生させ、このパルスに基づいて投光素子１４がオン作動して光を発生させる。この光は投光側光ファイバー１０で伝送されてセンサ部１において投光レンズ９より収束されて投光ビームＦとなる。この投光ビームＦは投光側ミラー６で直角に屈折された後、投光口部３より直角プリズム２側に出射される。
【００５３】
投光口部３より出射された投光ビームＦは、直角プリズム２では入射光ａとしてＢ面から入射しＡ面及びＣ面で合計２回反射して、この反射光ｂが入射光ａに平行に出射し、受光ビームＦ−１となって受光口部４に入る。
【００５４】
この受光ビームＦ−１は受光側ミラー８で直角に屈折された後、受光レンズ１１に入射して平行光になり、この平行光は受光側光ファイバー１２に伝送されてアンプ部２５−１の受光素子１６により受光される。この受光素子１６は受光を光電変換し受光信号として出力し、この受光信号は増幅回路１７により増幅されて演算回路１８に送られる。
【００５５】
ウェハ検出用センサ３０は、ウェハカセット２３の出入口２４で上下方向に移動できる移動体に搭載されているために、この移動体が下方向に移動することで、ウェハ検出用センサ３０は下方向に移動する。
【００５６】
このウェハ検出用センサ３０の下方向への移動により、ウェハ２２の端面２２Ａが横から投光ビームＦを遮る。このために、受光ビームＦ−１が発生せず、演算回路１８の比較判定部において、検出体（ウェハ２２）があると判定され、検出信号が出力部１９に送られ、また、表示部２０において検出体（ウェハ２２）の検出状態が表示される。
【００５７】
上記したように、ウェハ検出用センサ３０とウェハ２２との位置関係を図５のように配置することで、ビーム径の小さい投光ビームＦをウェハ２２の検出に使用するようにしたために、直角プリズム２により反射した後の受光ビームＦ−１の広がりによる被検出体であるウェハ２２の上下に位置する他のウェハ２２の影響を小さくできる。このために、ウェハ２２の検出が安定したものになり、ウェハカセット２３内のウェハ２２の有無を検出することができる。
【００５８】
また、ウェハ２２の端面２２Ａが投光ビームＦを遮った場合、投光ビームＦがウェハ２２の端面２２Ａの表面に反射されるが、上記した本発明の実施の形態１の場合と同様に、受光側に戻る光の量ははるかに少なく、このことでセンサ部１が誤動作することはない。
【００５９】
また、ウェハ検出用センサ３０は、センサ部１と直角プリズム２とは所定の間隔をおいて相対峙させた構成であるために、上記した本発明の実施の形態１の場合と同様に、ウェハ検出用センサ３０の取付けが容易になり、配線工数も削減できる。しかも、直角プリズム２は寸法精度が高いために、基本的にセンサ部１のみの調整でよいことになり、従来の狭視界タイプ透過形のウェハ検出用センサで必要であった投、受光側両方の光軸調整が不用になるし、光軸調整時間が短くなる。
【００６０】
（実施の形態３）
本発明に係るウェハ検出用センサの実施の形態３を図８及び図９に示す。
【００６１】
本発明に係るウェハ検出用センサ３０の実施の形態３は、その投、受光側にセンサ側プリズムである直角プリズム３１とセンサ部３２とを配置し、リフレクタとしてリフレクタ側プリズムである直角プリズム３３を配置した構成である。
【００６２】
すなわち、ウェハ検出用センサ３０の投、受光側に使用する直角プリズム３１は、９０度反射プリズムとしての使用である。すなわち、図９に示すように、この９０度反射プリズムは、光がＣ面（直角プリズム３１の直角部を形成する他方の面部）に垂直に入射しＢ面（直角プリズム３１の斜面部）で反射してＡ面（直角プリズム３１の直角部を形成する一方の面部）に垂直に出射するものである。また、センサ部３２は、上記した本発明に係るウェハ検出用センサの実施の形態１又は２におけるセンサ部１と同構成のものである。
【００６３】
そして、直角プリズム３１とセンサ部３２とは、センサ側保持体１３Ａの先部と基部とに配置してある。すなわち、直角プリズム３１は、そのＡ面を、リフレクタ側保持体１３Ｂに保持された直角プリズム３３のＢ面に対向させ、また、センサ部３２は、その投、受光口部３、４を直角プリズム３１のＣ面に対向させてセンサ側保持体１３Ａに設けてある。
【００６４】
したがって、投光口部３より出射された光は、直角プリズム３１では入射光ａとしてＣ面から入射しＢ面で反射して、この反射光ｂがＡ面から入射光ａに対して直角にウェハ２２の円周の接線近傍に出射して投光ビームＦになる。この投光ビームＦは直角プリズム３３では入射光ａ´としてＢ面から入射しＡ面及びＣ面で合計２回反射して、この反射光ｂ´が入射光ａ´に平行に出射して受光ビームＦ−１となる。
【００６５】
この受光ビームＦ−１は直角プリズム３１では、入射光ａ´´としてＡ面から入射しＢ面で反射して、この反射光ｂ´´がＣ面から入射光ａ´´に対して直角に出射して受光口部４に入り、上記した本発明に係るウェハ検出用センサの実施の形態１又は２におけるセンサ部１と同様にしてアンプ部２５又は２５−１において処理される。
【００６６】
ウェハ検出用センサ３０は、ウェハカセット２３の出入口２４で上下方向に移動できる移動体に搭載されているために、この移動体が下方向に移動することで、ウェハ検出用センサ３０は下方向に移動する。
【００６７】
このウェハ検出用センサ３０の下方向への移動により、ウェハ２２の端面２２Ａが横から投光ビームＦを遮る。このために、受光ビームＦ−１が発生せず、演算回路１８の比較判定部において、検出体（ウェハ２２）があると判定され、検出信号が出力部１９に送られ、また、表示部２０において検出体（ウェハ２２）の検出状態が表示される。
【００６８】
上記したように、ウェハ検出用センサ３０とウェハ２２との位置関係を図８のように配置することで、ビーム径の小さい投光ビームＦをウェハ２２の検出に使用するようにしたために、直角プリズム３３により反射した後の受光ビームＦ−１の広がりによる被検出体であるウェハ２２の上下に位置する他のウェハ２２の影響を小さくできる。このために、ウェハ２２の検出が安定したものになり、ウェハカセット２３内のウェハ２２の有無を検出することができる。
【００６９】
また、ウェハ２２の端面２２Ａが投光ビームＦを遮った場合、投光ビームＦがウェハ２２の端面２２Ａの表面に反射されるが、上記した本発明の実施の形態１の場合と同様に、受光側に戻る光の量ははるかに少なく、センサ部１は誤動作することはない。
【００７０】
また、本発明に係るウェハ検出用センサ３０の実施の形態３では、その投、受光側に、センサ部３２と、このセンサ部３２からの投光ビームＦをリフレクタとしての直角プリズム３３に向かうように屈折させ、且つ直角プリズム３３から反射された受光ビームＦ−１をセンサ部３２の受光口部４に入射させる直角プリズム３１とを配置し、リフレクタとして直角プリズム３３を配置した構成のように、プリズムの形状、配置によっては、２ヶ以上のプリズムを使用することによるウェハ２２の検出が可能であり、センサ部３２をある程度距離を離した場所からの検出も可能である。しかも、センサ側保持体１３Ａが、その先側に直角プリズム３１のみを配置するようになることから、このセンサ側保持体１３Ａの厚さを薄くすることができて、例えば、ウェハ検出用センサ３０をロボットに搭載する場合などに有利になる。
【００７１】
なお、上記した本発明に係るウェハ検出用センサの実施の形態１、２、３において、リフレクタとして直角プリズム２、３３を用いたが、リフレクタとして図１０に示すような２つのミラー３５、３６を直角に配置した構成のものを使用することも可能であるし、また、リフレクタとして光軸を変える１枚物のミラーでもよい。
【００７２】
【発明の効果】
以上説明したように、本発明に係るウェハ検出用センサによれば、回析広がりが小さい投光ビームをウェハの検出に使用することで、リフレクタ反射後の受光ビームの広がりによる被検出体であるウェハの上下に位置する他のウェハの影響を小さくできて、ウェハの検出が安定したものになり、ウェハカセット内のウェハの有無を検出することができる。
【図面の簡単な説明】
【図１】本発明に係るウェハ検出用センサ（実施の形態１）の概略的な構成説明図である。
【図２】同ウェハ検出用センサ（実施の形態１）に用いるアンプ部の構成説明図である。
【図３】同ウェハ検出用センサ（実施の形態１）に用いるリフレクタとしての直角プリズムの説明図である。
【図４】ウェハカセットに収納されたウェハの検出方法の説明図である。
【図５】本発明に係るウェハ検出用センサ（実施の形態２）の概略的な構成説明図である。
【図６】同ウェハ検出用センサ（実施の形態２）の構成説明図である。
【図７】同ウェハ検出用センサ（実施の形態２）に用いるアンプ部の構成説明図である。
【図８】本発明に係るウェハ検出用センサ（実施の形態３）の概略的な構成説明図である。
【図９】同ウェハ検出用センサ（実施の形態３）に用いるセンサ側プリズムの説明図である。
【図１０】２つのミラーを組み合わせたリフレクタの説明図である。
【図１１】従来のウェハ検出用センサの概略的な構成説明図である。
【符号の説明】
１        センサ部
１Ａ      センサ本体
２        直角プリズム（リフレクタ）
３        投光口部（投光部）
３Ａ      投光側光ファイバー挿入孔部
４        受光口部（受光部）
４Ａ      受光側光ファイバー挿入孔部
５        直交部
６        投光側ミラー
７        直交部
８        受光側ミラー
９        投光レンズ
１０      投光側光ファイバー
１１      受光レンズ
１２      受光側光ファイバー
１３Ａ    センサ側保持体
１３Ｂ    リフレクタ側保持体
１４      投光素子
１５      投光回路
１６      受光素子
１７      増幅回路
１８      演算回路
１９      出力部
２０      表示部
２１      電源入力部
２２      ウェハ（検出体）
２２Ａ    端面
２３      ウェハカセット
２４      出入口
２５      アンプ部
２５−１  アンプ部
３０      ウェハ検出用センサ
３１      直角プリズム（センサ側プリズム）
３２      センサ部
３３      直角プリズム（リフレクタ側プリズム）
Ｆ        投光ビーム
Ｆ−１    受光ビーム
【図１】
0004277458.tif 000002
【図３】
0004277458.tif 000003
【図４】
0004277458.tif 000004
【図５】
0004277458.tif 000005
【図６】
0004277458.tif 000006
【図７】
0004277458.tif 000007
【図８】
0004277458.tif 000008
【図９】
0004277458.tif 000009
【図１０】
0004277458.tif 000010
【図１１】
0004277458.tif 000011
【図２】
0004277458.tif 000012